(57)【要約】【課題】  静止画フレーム画像を静止画モードの処理の期間、動画記録系に送り静止画を記録することで動画が表示されない時間はなくなるが、この動画を再生・出力すると、再生・出力中に短時間ではあるが静止画が再生・出力されてしまうという問題があった。【解決手段】  第一の発明は、ＣＣＤと、ＣＣＤと接続してビデオ信号を取得するビデオ信号取得部と、ＣＣＤと接続して静止画信号を取得する静止画信号取得部と、ビデオ信号取得部がビデオ信号を取得している途中で、静止画信号を取得するためにＣＣＤとの接続をビデオ信号取得部から静止画信号取得部へ所定時間切り換える切換部と、前記切換がある場合には、その中断の前後のビデオ信号をつないで出力すべきビデオ信号である第一出力ビデオ信号を生成する第一出力ビデオ信号生成部と、ビデオ信号を出力するビデオ信号出力部と、を有するビデオカメラに関する。【選択図】  図１
2006229552.tif 000002
【特許請求の範囲】
【請求項１】
ＣＣＤと、
ＣＣＤと接続してビデオ信号を取得するビデオ信号取得部と、
ＣＣＤと接続して静止画信号を取得する静止画信号取得部と、
ビデオ信号取得部がビデオ信号を取得している途中で、静止画信号を取得するためにＣＣＤとの接続をビデオ信号取得部から静止画信号取得部へ所定時間切り換える切換部と、
前記切換がある場合には、その中断の前後のビデオ信号をつないで出力すべきビデオ信号である第一出力ビデオ信号を生成する第一出力ビデオ信号生成部と、
ビデオ信号を出力するビデオ信号出力部と、
を有するビデオカメラ。
【請求項２】
ＣＣＤと、
ＣＣＤと接続してビデオ信号を取得するビデオ信号取得部と、
ＣＣＤと接続して静止画信号を取得する静止画信号取得部と、
ビデオ信号取得部がビデオ信号を取得している途中で、静止画信号を取得するためにＣＣＤとの接続をビデオ信号取得部から静止画信号取得部へ所定時間切り換える切換部と、
前記切換がある場合には、その中断前のビデオ信号の全部又は一部を引き伸ばして中断後のビデオ信号につないで出力すべきビデオ信号である第二出力ビデオ信号を生成する第二出力ビデオ信号生成部と、
ビデオ信号を出力するビデオ信号出力部と、
を有するビデオカメラ。
【請求項３】
前記ビデオ信号取得部と、前記ビデオ信号出力部との間には、少なくとも前記所定時間ビデオ信号をバッファする遅延バッファ部を有する請求項１又は２に記載のビデオカメラ。
【請求項４】
前記所定時間分のビデオ信号をバッファするために、徐々にビデオ信号出力部からの出力を遅延させる徐々遅延部を有する請求項３に記載のビデオカメラ。
【請求項５】
前記第二出力ビデオ信号生成部は、前記引伸ばしをするために、フレームレートを小さくするためのフレームレート減少手段を有し、
前記フレームレート減少手段により通常のフレームレートよりも間隔が広くなったフレーム間に補間フレームを挿入する補間フレーム挿入部をさらに有する
請求項２に記載のビデオカメラ。
【請求項６】
前記遅延バッファ部は、ビデオ信号圧縮手段を有し、圧縮したビデオ信号をバッファする請求項３又は４に記載のビデオカメラ。
【請求項７】
前記ビデオ信号出力部が出力するビデオ信号は、ファインダー用ビデオ信号である請求項１から６のいずれか一に記載のビデオカメラ。
【請求項８】
ＣＣＤと接続してビデオ信号を取得するビデオ信号取得ステップと、
ＣＣＤと接続して静止画信号を取得する静止画信号取得ステップと、
ビデオ信号取得ステップにてビデオ信号を取得している途中で、静止画信号を取得するために静止画信号取得ステップへ所定時間切り換える切換ステップと、
前記切換ステップにて切換が行われている間に、ビデオ信号取得ステップの中断の前後のビデオ信号をつないで出力すべきビデオ信号である第一出力ビデオ信号を生成する第一出力ビデオ信号生成ステップと、
ビデオ信号を出力するビデオ信号出力ステップと、
を有するビデオカメラ動作方法。
【請求項９】
ＣＣＤと接続してビデオ信号を取得するビデオ信号取得ステップと、
ＣＣＤと接続して静止画信号を取得する静止画信号取得ステップと、
ビデオ信号取得ステップにてビデオ信号を取得している途中で、静止画信号を取得するために静止画信号取得ステップへ所定時間切り換える切換ステップと、
前記切換ステップにて切換が行われている間に、ビデオ信号取得ステップの中断前に取得されたビデオ信号の全部又は一部を引き伸ばして中断後のビデオ信号につないで出力すべきビデオ信号である第二出力ビデオ信号を生成する第二出力ビデオ信号生成ステップと、
ビデオ信号を出力するビデオ信号出力ステップと、
を有するビデオカメラ動作方法。
【発明の詳細な説明】
【技術分野】
【０００１】
本件発明は、ＣＣＤを用いて動画及び静止画の撮影が可能なビデオカメラに関する。
【背景技術】
【０００２】
従来、撮像素子にＣＣＤを有し、動画と静止画の撮影に共通のリソースを用いるビデオカメラにおいて、動画の記録中に静止画を記録するには、一旦動画モードでの動画の記録を停止し、静止画モードに切り換えて静止画の取り込みを行い、静止画の取り込み完了後に静止画モードから動画モードに復帰させる必要がある。なぜならば、動画と静止画では、１画像内の画素数や画素配列が異なるため、ＣＣＤの読み出しモードを切り換えて動画及び静止画を記録する必要があるからである。そしてこの静止画の取り込み期間中は静止画モードであるため、動画が記録されず動画が表示されない時間が生じてしまう。そこで特許文献１や特許文献２で開示されているように、この静止画取り込み中の動画が表示されない時間を静止画で補間し、全体として動画に不連続な部分が生じないような方法が提案されている。
【特許文献１】特開２０００−３２４４３４
【特許文献２】特開平９−３０７８５０
【発明の開示】
【発明が解決しようとする課題】
【０００３】
しかしながら、上記のような方法では、静止画フレーム画像を静止画モードの処理の期間、動画記録系に送り静止画を記録することで動画が表示されない時間はなくなるが、この動画を再生・出力すると、再生・出力中に短時間ではあるが静止画が再生・出力されてしまうという問題があった。
【課題を解決するための手段】
【０００４】
本件発明は、上記課題に鑑みなされたものである。
【０００５】
第一の発明は、ＣＣＤと、ＣＣＤと接続してビデオ信号を取得するビデオ信号取得部と、ＣＣＤと接続して静止画信号を取得する静止画信号取得部と、ビデオ信号取得部がビデオ信号を取得している途中で、静止画信号を取得するためにＣＣＤとの接続をビデオ信号取得部から静止画信号取得部へ所定時間切り換える切換部と、前記切換がある場合には、その中断の前後のビデオ信号をつないで出力すべきビデオ信号である第一出力ビデオ信号を生成する第一出力ビデオ信号生成部と、ビデオ信号を出力するビデオ信号出力部と、を有するビデオカメラに関する。
【０００６】
第二の発明は、ＣＣＤと、ＣＣＤと接続してビデオ信号を取得するビデオ信号取得部と、ＣＣＤと接続して静止画信号を取得する静止画信号取得部と、ビデオ信号取得部がビデオ信号を取得している途中で、静止画信号を取得するためにＣＣＤとの接続をビデオ信号取得部から静止画信号取得部へ所定時間切り換える切換部と、前記切換がある場合には、その中断前のビデオ信号の全部又は一部を引き伸ばして中断後のビデオ信号につないで出力すべきビデオ信号である第二出力ビデオ信号を生成する第二出力ビデオ信号生成部と、ビデオ信号を出力するビデオ信号出力部と、を有するビデオカメラに関する。
【０００７】
第三の発明は、前記ビデオ信号取得部と、前記ビデオ信号出力部との間には、少なくとも前記所定時間ビデオ信号をバッファする遅延バッファ部を有する第一の発明又は第二の発明に記載のビデオカメラに関する。
【０００８】
第四の発明は、前記所定時間分のビデオ信号をバッファするために、徐々にビデオ信号出力部からの出力を遅延させる徐々遅延部を有する第三の発明に記載のビデオカメラに関する。
【０００９】
第五の発明は、前記第二出力ビデオ信号生成部は、前記引伸ばしをするために、フレームレートを小さくするためのフレームレート減少手段を有し、前記フレームレート減少手段により通常のフレームレートよりも間隔が広くなったフレーム間に補間フレームを挿入する補間フレーム挿入部をさらに有する第二の発明に記載のビデオカメラに関する。
【００１０】
第六の発明は、前記遅延バッファ部は、ビデオ信号圧縮手段を有し、圧縮したビデオ信号をバッファする第三の発明又は第四の発明に記載のビデオカメラに関する。
【００１１】
第七の発明は、前記ビデオ信号出力部が出力するビデオ信号は、ファインダー用ビデオ信号である第一の発明から第六の発明のいずれか一に記載のビデオカメラに関する。
【発明の効果】
【００１２】
本件発明によれば、動画モードでの動画の記録途中で、静止画モードに切り換えて静止画を記録したとしても、動画が表示されない時間が生じないように動画を再生・出力することが可能となる。
【発明を実施するための最良の形態】
【００１３】
以下に本件発明の実施形態を説明する。実施形態と、請求項との関係はおおむね次のようなものである。
【００１４】
実施形態１は、主に、請求項１、請求項８などについて説明している。
【００１５】
実施形態２は、主に、請求項２、請求項９などについて説明している。
【００１６】
実施形態３は、主に、請求項３について説明している。
【００１７】
実施形態４は、主に、請求項４について説明している。
【００１８】
実施形態５は、主に、請求項５について説明している。
【００１９】
実施形態６は、主に、請求項６について説明している。
【００２０】
実施形態７は、主に、請求項７について説明している。
【００２１】
以下に、図を用いて本発明の実施の形態を説明する。なお、本発明はこれら実施の形態に何ら限定されるものではなく、その要旨を逸脱しない範囲において、種々なる態様で実施しうる。
【００２２】
<<実施形態１>>
以下に実施形態１について説明する。
【００２３】
<実施形態１の概念>
【００２４】
以下に、本実施形態の概念について説明する。本実施形態のビデオカメラは、ビデオ信号（動画信号ともいう）を取得している途中で、静止画信号を取得するためにＣＣＤとの接続をビデオ信号取得部から静止画信号取得部へ所定時間切り換える場合には、その中断の前後のビデオ信号をつないで出力すべきビデオ信号を生成・出力することを特徴とする。
【００２５】
<構成要件の明示>
【００２６】
以下に本実施形態の構成要件を明示する。
【００２７】
図１は、本実施形態の機能ブロックの一例を示す図である。ビデオカメラ０１００は、ＣＣＤ０１０１と、切換部０１０２と、ビデオ信号取得部０１０３と、静止画信号取得部０１０４と、第一出力ビデオ信号生成部０１０５と、ビデオ信号出力部０１０６と、からなる。
【００２８】
<構成要件の説明>
【００２９】
以下に、本実施形態の構成要件について説明する。
【００３０】
（ＣＣＤ）
【００３１】
「ＣＣＤ（Ｃｈａｒｇｅ  Ｃｏｕｐｌｅｄ  Ｄｅｖｉｃｅｓ）」とは、光を光電効果によって電荷に変換する撮像素子のことをいう。ＣＣＤは、一般的に、輝度（光の信号強度）を認識するフォトダイオード（受光素子）が縦横に規則的に配列されている。複数の受光素子は、被写体からの光を受光し、受光した光を光電効果によって電荷に変換する。変換された電荷は、切換部、ビデオ信号取得部及び静止画信号取得部に出力されるなどして利用される。また、一般的には、動画（後述する）を構成する画素数と静止画（後述する）を構成する画素数は異なっている。通常は、静止画を構成する画素数のほうが多い。（例えば、総画素数が１３３万画素のＣＣＤにおいて、有効画素数が動画６９万画素、静止画１２５万画素など。）このため、一般的には、一のＣＣＤを利用して動画と静止画を処理する場合には、動画を処理する場合のＣＣＤのモード（動画モードという）と静止画を処理する場合のＣＣＤのモード（静止画モードという）を切り換えるように構成されている。なお、一例として、ＣＣＤがビデオカメラなどの動画を記録する記録装置の撮像部分に使用される場合には、動画を構成する１フレーム分の電荷の転送は、１／３０秒以下の時間内に終了するように構成される。
【００３２】
（切換部）
【００３３】
「切換部」は、ビデオ信号取得部（後述する）がビデオ信号を取得している途中で、静止画信号を取得するためにＣＣＤとの接続をビデオ信号取得部から静止画信号取得部（後述する）へ所定時間切り換えるように構成されている。ここで「所定時間」とは、ＣＣＤが撮像した静止画の電荷を放出するために要する時間のことをいい、場合によって変わるものであってもよい。ただし、あらかじめマージンをとって最大値を所定時間とする構成も可能である。ＣＣＤとの接続のビデオ信号取得部から静止画信号取得部への切り換えは、一例として、利用者がシャッターを押下することによって、シャッターと連動した静止画モードボタンが自動的に押下されることにより行われる。また、ＣＣＤとの接続の静止画信号取得部からビデオ信号取得部への復帰は、所定時間経過後に自動的に行われるように構成されている。
【００３４】
（ビデオ信号取得部）
【００３５】
「ビデオ信号取得部」は、ＣＣＤと接続してビデオ信号を取得するように構成されている。ここで「ビデオ信号」とは、周期的にディスプレイに表示される画像信号のことをいい、動画信号ともいう。動画は、複数の画像が同じ間隔で連続して表示されていると考えられる。動画を構成する個々の画像のことをフレームともいう。また、ＣＣＤから出力された電荷は、所定の出力値まで増幅され、必要な画像処理が諸回路にて行われる。ここで画像処理にはフレームレートの調整、圧縮などが挙げられる。ここで「フレームレート」とは、１秒間の動画を構成するフレームの数を示すもので、ｆｐｓ（ｆｒａｍｅ  ｐｅｒ  ｓｅｃｏｎｄ）で表現される。例えば、日本で使用されているテレビは、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ  ：米国テレビ放送方式標準化委員会）規格で３０ｆｐｓ（白黒）、２９．９７ｆｐｓ（カラー）、ヨーロッパ等で使用されているＰＡＬ（Ｐｈａｓｅ  Ａｌｔｅｒｎａｔｉｏｎ  ｂｙ  Ｌｉｎｅ）規格では２５ｆｐｓである。また映画では、２４ｆｐｓとなっている。
【００３６】
そしてビデオ信号は、第一出力ビデオ信号生成部、ビデオ信号出力部に出力される。
【００３７】
（静止画信号取得部）
【００３８】
「静止画信号取得部」は、ＣＣＤと接続して静止画信号を取得するように構成されている。ここで「静止画信号」とは、１枚の静止した画像（静止画という）を構成する信号のことをいう。１つの静止画を構成する画素数は設定により変更することもできる。例えば、撮影できる静止画モードでの解像度として、６４０ｘ４８０画素＝約３０万画素、７２０ｘ４８０画素＝約３５万画素、１１５２ｘ８６４画素＝約１００万画素を選択可能なように構成することができる。静止画信号は、ディスプレイに出力されるなどして利用される。
【００３９】
（第一出力ビデオ信号生成部）
【００４０】
「第一出力ビデオ信号生成部」は、第一出力ビデオ信号を生成するように構成されている。ここで「第一出力ビデオ信号」とは、ビデオ信号取得部から静止画信号取得部への切換がある場合には、その中断の前後のビデオ信号をつないで出力すべきビデオ信号のことをいう。ビデオ信号は、一例として、揮発性メモリに記録される。なお、中断の前後のビデオ信号をつなぐ方法としては、一例として、シーケンシャルにアドレスを読み出すように構成されているメモリにおいて、中断直前のフレーム画像の次に中断直後のフレーム画像を記録していくことなどが挙げられる。このように構成すれば、シーケンシャルにメモリのアドレスにアクセスして読み出していけば、中断の前後のビデオ信号がつながって出力される。生成されたビデオ信号は、ビデオ信号出力部に出力される。
【００４１】
（ビデオ信号出力部）
【００４２】
「ビデオ信号出力部」は、ビデオ信号を出力するように構成されている。ビデオ信号は、ビデオ信号取得部から静止画信号取得部への切り換えがない場合には、ビデオ信号取得部から取得され、切り換えがある場合には、第一出力ビデオ信号生成部から取得される。出力されたビデオ信号は、ディスプレイ（液晶ディスプレイ、有機ＥＬ（Ｅｌｅｃｔｒｏ  Ｌｕｍｉｎｅｓｃｅｎｃｅ）ディスプレイなど）に表示されるなどして利用される。
【００４３】
<処理の流れ>
【００４４】
以下に、本実施形態の処理の流れについて説明する。なお、以下に示す処理の流れは、方法、計算機に実行させるためのプログラム、またはそのプログラムが記録された読み取り可能な記録媒体として実施されうる（これは、本明細書のその他の処理の流れについても同様である）。
【００４５】
図２は、本実施形態の処理の流れの一例を示す図である。
【００４６】
まず、ビデオ撮影を開始する（ステップＳ０２０１）。次に、ビデオカメラにおいて、ビデオ信号取得ステップは、ＣＣＤと接続してビデオ信号の取得を開始する（ステップＳ０２０２）。次に、静止画モードボタンが押下されたかどうか判断する。押下された場合にはステップＳ０２０４に進み、押下されていない場合にはステップＳ０２０８に進む（ステップＳ０２０３）。静止画モードボタンが押下された場合には、ビデオカメラにおいて、切換ステップは、静止画信号を取得するために、ＣＣＤから取得しているビデオ信号を静止画信号に切り換える（ステップＳ０２０４）。次に、ビデオカメラにおいて、静止画信号取得ステップは、ＣＣＤと接続して静止画信号を取得する（ステップＳ０２０５）。次に、ビデオカメラにおいて、切換ステップは、所定時間経過後、ＣＣＤから取得している静止画信号をビデオ信号に戻す（ステップＳ０２０６）。次に、ビデオカメラにおいて、第一出力ビデオ信号生成ステップは、中断の前後のビデオ信号をつないで出力すべきビデオ信号である第一出力ビデオ信号を生成する（ステップＳ０２０７）。次に、ビデオカメラにおいて、ビデオ信号出力ステップは、ビデオ信号を出力する（ステップＳ０２０８）。
【００４７】
（実施例１）
【００４８】
以下に、本実施形態の実施例１について説明する。
【００４９】
図３は、本実施例を説明するための図である。横軸を時間軸としている。まず、時刻Ｔ０において、ビデオカメラの電源をＯＮにすると、（１）動画モードになり、ビデオ信号取得部は、ＣＣＤと接続してビデオ信号（シーンＡ）を（３）動画用メモリに記録する。なお本明細書中においては特に断らない限り、動画用メモリへの書き込み、読み出しの遅延は無視している。次に、時刻Ｔ１において、静止画モードボタンが押下されると、切換部は、ビデオ信号取得部にてビデオ信号を取得している途中で、静止画信号を取得するために静止画信号取得部へ所定時間（例えば動画フレーム３枚分）切り換え、（２）静止画モードに移行する。静止画信号取得部は、ＣＣＤから静止画信号（シーンＢ）を取得する。次に、時刻Ｔ２において、（２）静止画モードから（１）動画モードに復帰し、ビデオ信号取得部は、ＣＣＤと接続してビデオ信号（シーンＣ）を（３）動画用メモリに記録する。第一出力ビデオ信号生成部は、シーンＡの最後のフレームとシーンＣの最初のフレームをつないで出力すべきビデオ信号である第一出力ビデオ信号を生成する。最後に、ビデオ信号出力部は、ビデオ信号を（４）出力する。
【００５０】
<実施形態１の効果の簡単な説明>
【００５１】
本件発明によれば、動画モードでの動画の記録途中で、静止画モードに切り換えて静止画を記録したとしても、静止画モードの前後の動画をつなぎ合わせることができるので、動画が表示されない時間が生じないように動画を再生・出力することが可能となる。
【００５２】
<<実施形態２>>
以下に実施形態２について説明する。
【００５３】
<実施形態２の概念>
【００５４】
以下に、本実施形態の概念について説明する。本実施形態のビデオカメラは、ビデオ信号（動画信号ともいう）を取得している途中で、静止画信号を取得するためにＣＣＤとの接続をビデオ信号取得部から静止画信号取得部へ所定時間切り換える場合には、その中断前のビデオ信号の全部又は一部を引き伸ばして中断後のビデオ信号につないで出力すべきビデオ信号を生成・出力することを特徴とする。
【００５５】
<構成要件の明示>
【００５６】
以下に本実施形態の構成要件を明示する。
【００５７】
図４は、本実施形態の機能ブロックの一例を示す図である。ビデオカメラ０４００は、ＣＣＤ０４０１と、切換部０４０２と、ビデオ信号取得部０４０３と、静止画信号取得部０４０４と、第二出力ビデオ信号生成部０４０５と、ビデオ信号出力部０４０６と、からなる。
【００５８】
<構成要件の説明>
【００５９】
以下に、本実施形態の構成要件について説明する。
【００６０】
（ＣＣＤ）、（切換部）、（ビデオ信号取得部）、（静止画信号取得部）、（ビデオ信号出力部）
【００６１】
「ＣＣＤ」、「切換部」、「ビデオ信号取得部」、「静止画信号取得部」、「ビデオ信号出力部」については、実施形態１と同様なので説明を省略する。
【００６２】
（第二出力ビデオ信号生成部）
【００６３】
「第二出力ビデオ信号生成部」は、第二出力ビデオ信号を生成するように構成されている。ここで「第二出力ビデオ信号」とは、切換がある場合には、その中断前のビデオ信号の全部又は一部を引き伸ばして中断後のビデオ信号につないで出力すべきビデオ信号のことをいう。ビデオ信号は、一例として、揮発性メモリに記録される。なお、中断前のビデオ信号の全部又は一部を引き伸ばす方法としては、一例として、中断直前のビデオ信号のフレームを複写することなどが挙げられる。例えば、所定時間が動画モードの５フレーム分の時間に相当し、中断直前の５枚の動画フレームがフレーム１、フレーム２、フレーム３、フレーム４、フレーム５であるとする。このときフレーム１からフレーム５をそれぞれ複写し、フレーム１、フレーム１、フレーム２、フレーム２、フレーム３、フレーム３、フレーム４、フレーム４、フレーム５、フレーム５と構成すれば、静止画モードの５フレーム分が中断直前のフレームで補間されることになる。これらのフレームを中断直後の動画フレームにつなぎ合わせることにより、全体として連続したビデオ信号が生成される。生成されたビデオ信号は、ビデオ信号出力部に出力される。
【００６４】
<処理の流れ>
【００６５】
以下に、本実施形態の処理の流れについて説明する。
【００６６】
図５は、本実施形態の処理の流れの一例を示す図である。
【００６７】
まず、ビデオ撮影を開始する（ステップＳ０５０１）。次に、ビデオカメラにおいて、ビデオ信号取得ステップは、ＣＣＤと接続してビデオ信号の取得を開始する（ステップＳ０５０２）。次に、静止画モードボタンが押下されたかどうか判断する。押下された場合にはステップＳ０５０４に進み、押下されていない場合にはステップＳ０５０８に進む（ステップＳ０５０３）。静止画モードボタンが押下された場合には、ビデオカメラにおいて、切換ステップは、静止画信号を取得するために、ＣＣＤから取得しているビデオ信号を静止画信号に切り換える（ステップＳ０５０４）。次に、ビデオカメラにおいて、静止画信号取得ステップは、ＣＣＤと接続して静止画信号を取得する（ステップＳ０５０５）。次に、ビデオカメラにおいて、切換ステップは、所定時間経過後、ＣＣＤから取得している静止画信号をビデオ信号に戻す（ステップＳ０５０６）。次に、ビデオカメラにおいて、第二出力ビデオ信号生成ステップは、中断前のビデオ信号の全部又は一部を引き伸ばして中断後のビデオ信号につないで出力すべきビデオ信号である第二出力ビデオ信号を生成する（ステップＳ０５０７）。次に、ビデオカメラにおいて、ビデオ信号出力ステップは、ビデオ信号を出力する（ステップＳ０５０８）。
【００６８】
（実施例２）
【００６９】
以下に、本実施形態の実施例２について説明する。
【００７０】
図６は、本実施例を説明するための図である。横軸を時間軸としている。まず、時刻Ｔ０において、ビデオカメラの電源をＯＮにすると、（１）動画モードになり、ビデオ信号取得部は、ＣＣＤと接続してビデオ信号（シーンＡ）を（３）動画用メモリに記録する。次に、時刻Ｔ１において、静止画モードボタンが押下されると、切換部は、ビデオ信号取得部にてビデオ信号を取得している途中で、静止画信号を取得するために静止画信号取得部へ所定時間（例えば３／６０秒間）切り換え、（２）静止画モードに移行する。静止画信号取得部は、ＣＣＤと接続して静止画信号（シーンＢ）を取得する。次に、時刻Ｔ２において、（２）静止画モードから（１）動画モードに復帰し、ビデオ信号取得部は、ＣＣＤと接続してビデオ信号（シーンＣ）を（３）動画用メモリに記録する。ここで第二出力ビデオ信号生成部は、シーンＡの最後の３フレームであるフレーム１、フレーム２、フレーム３（フレームａ）をそれぞれ複写し、フレーム１、フレーム１、フレーム２、フレーム２、フレーム３、フレーム３（フレームａ’）と構成し、シーンＣの最初のフレームをつないで出力すべきビデオ信号である第二出力ビデオ信号を生成する。最後に、ビデオ信号出力部は、ビデオ信号を（４）出力する。
【００７１】
<実施形態２の効果の簡単な説明>
【００７２】
本件発明によれば、動画モードでの動画の記録途中で、静止画モードに切り換えて静止画を記録したとしても、その中断前のビデオ信号の全部又は一部を引き伸ばして中断後のビデオ信号につないで出力すべきビデオ信号を生成して静止画モードの前後の動画をつなぎ合わせることができる。したがって、動画が表示されない時間が生じないように動画を再生・出力することが可能となる。
【００７３】
<<実施形態３>>
以下に実施形態３について説明する。
【００７４】
<実施形態３の概念>
【００７５】
以下に、本実施形態の概念について説明する。本実施形態のビデオカメラは、ビデオ信号取得部と、ビデオ信号出力部との間には、少なくとも所定時間ビデオ信号をバッファする遅延バッファ部を有する実施形態１又は２に記載のビデオカメラに関する。
【００７６】
<構成要件の明示>
【００７７】
以下に本実施形態の構成要件を明示する。
【００７８】
図７は、本実施形態の機能ブロックの一例を示す図である。ビデオカメラ０７００は、ＣＣＤ０７０１と、切換部０７０２と、ビデオ信号取得部０７０３と、静止画信号取得部０４０４と、第一出力ビデオ信号生成部０７０５と、ビデオ信号出力部０７０６と、遅延バッファ部０７０７と、からなる。なお、第一出力ビデオ信号生成部は、第二出力ビデオ信号生成部であってもよいが、以下の説明では、第一出力ビデオ信号生成部の場合について説明する。
【００７９】
<構成要件の説明>
【００８０】
以下に、本実施形態の構成要件について説明する。
【００８１】
（ＣＣＤ）、（切換部）、（ビデオ信号取得部）、（静止画信号取得部）、（ビデオ信号出力部）
【００８２】
「ＣＣＤ」、「切換部」、「ビデオ信号取得部」、「静止画信号取得部」、「ビデオ信号出力部」については、実施形態１と同様なので説明を省略する。
【００８３】
（遅延バッファ部）
【００８４】
「遅延バッファ部」は、ビデオ信号取得部と、ビデオ信号出力部との間に配置され、少なくとも所定時間ビデオ信号をバッファするように構成されている。少なくとも所定時間ビデオ信号がバッファされることにより、静止画モードに切り換わった所定時間のビデオ信号をバッファされているビデオ信号で補間することができる。少なくとも所定時間バッファされたビデオ信号は、第一出力ビデオ信号生成部、ビデオ信号出力部に出力される。
【００８５】
（第一出力ビデオ信号生成部）
【００８６】
「第一出力ビデオ信号生成部」は、切換がある場合には、中断前のビデオ信号は遅延バッファ部から取得し、中断後のビデオ信号はビデオ信号取得部から取得し、その中断の前後のビデオ信号をつないで出力すべきビデオ信号である第一出力ビデオ信号を生成するように構成されている。その他の点は、実施形態１の（第一出力ビデオ信号生成部）と同様なので説明を省略する。具体例については、実施例３で説明する。
【００８７】
<処理の流れ>
【００８８】
以下に、本実施形態の処理の流れについて説明する。
【００８９】
図８は、本実施形態の処理の流れの一例を示す図である。
【００９０】
まず、ビデオ撮影を開始する（ステップＳ０８０１）。次に、ビデオカメラにおいて、ビデオ信号取得ステップは、ＣＣＤと接続してビデオ信号の取得を開始する（ステップＳ０８０２）。次に、ビデオカメラにおいて、遅延バッファステップは、少なくとも所定時間ビデオ信号をバッファする（ステップＳ０８０３）。次に、静止画モードボタンが押下されたかどうか判断する。押下された場合にはステップＳ０８０５に進み、押下されていない場合にはステップＳ０８０９に進む（ステップＳ０８０４）。静止画モードボタンが押下された場合には、ビデオカメラにおいて、切換ステップは、静止画信号を取得するために、ＣＣＤから取得しているビデオ信号を静止画信号に切り換える（ステップＳ０８０５）。次に、ビデオカメラにおいて、静止画信号取得ステップは、ＣＣＤと接続して静止画信号を取得する（ステップＳ０８０６）。次に、ビデオカメラにおいて、切換ステップは、所定時間経過後、ＣＣＤから取得している静止画信号をビデオ信号に戻す（ステップＳ０８０７）。次に、ビデオカメラにおいて、第一出力ビデオ信号生成ステップは、中断前後のビデオ信号をつないで出力すべきビデオ信号である第一出力ビデオ信号を生成し、ステップＳ０８１０に進む（ステップＳ０８０８）。次に、ビデオカメラにおいて、遅延バッファステップからのビデオ信号を出力する（ステップＳ０８０９）。次に、ビデオカメラにおいて、ビデオ信号出力ステップは、ビデオ信号を出力する（ステップＳ０８１０）。
【００９１】
（実施例３）
【００９２】
以下に、本実施形態の実施例３について説明する。
【００９３】
図９は、本実施例を説明するための図である。横軸を時間軸としている。また遅延バッファ部の容量は、所定時間（Ｔ２−Ｔ１）分のビデオ信号を格納するだけの容量としている。
【００９４】
まず、時刻Ｔ０において、ビデオカメラの電源をＯＮにすると、（１）動画モードになり、ビデオ信号取得部は、ＣＣＤと接続してビデオ信号（シーンＡ）を（３）動画用メモリに記録する。記録されたビデオ信号（シーンＡ）は、遅延バッファ部に出力する。遅延バッファ部は、所定時間（Ｔ２−Ｔ１）経過後にビデオ信号（シーンＡ）をビデオ信号出力部に（４）出力する。ビデオ信号出力部は、ビデオ信号（シーンＡ）をディスプレイに（５）出力する。
【００９５】
次に、時刻Ｔ１において、静止画モードボタンが押下されると、切換部は、ビデオ信号取得部にてビデオ信号を取得している途中で、静止画信号を取得するために静止画信号取得部へ所定時間（Ｔ２−Ｔ１）切り換え、（２）静止画モードに移行する。静止画信号取得部は、ＣＣＤと接続して静止画信号（シーンＢ）を取得する。ビデオ信号出力部は、引き続き遅延バッファ部からのビデオ信号（シーンＡのフレームａ）をディスプレイに（５）出力する。
【００９６】
次に、時刻Ｔ２において、（２）静止画モードから（１）動画モードに復帰し、ビデオ信号取得部は、ＣＣＤと接続してビデオ信号（シーンＣ）を（３）動画用メモリに記録する。次に、動画用メモリに記録されたビデオ信号（シーンＣ）は、第一出力ビデオ信号生成部に送られる。次に、第一出力ビデオ信号生成部は、遅延バッファ部からのシーンＡの所定時間（Ｔ２−Ｔ１）のフレームａと動画用メモリからのシーンＣの最初のフレームをつないで出力すべきビデオ信号である第一出力ビデオ信号を生成する。最後に、ビデオ信号出力部は、ビデオ信号（シーンＣ）を（５）出力する。
【００９７】
なお、本実施例においては、一旦、ビデオ信号出力部は、ビデオ信号（シーンＣ）の出力を、遅延バッファ部から動画用メモリに切り換えると、その後は、遅延バッファ部からのビデオ信号は使用しないものとした。また、本実施例においては、遅延バッファ部の容量は、所定時間分のビデオ信号を格納するだけの容量としたが、所定時間の複数倍分、例えば、１０倍分のビデオ信号を格納するだけの容量としても動作は同様に考えることができる。この場合には、１０回シャッターを切ってしまうまでは（１０回静止画モードに移行するまで）、遅延バッファ部のバッファ容量がゼロにならないので、ビデオ信号出力部は、遅延バッファ部からのビデオ信号を出力することができる。つまり１０回目のシャッターを切って、再び動画モードに移行した時点から、ビデオ信号出力部は、ビデオ信号の出力を、遅延バッファ部から動画用メモリに切り換える。
【００９８】
<実施形態３の効果の簡単な説明>
【００９９】
本件発明によれば、ビデオ信号取得部と、ビデオ信号生成部との間には、少なくとも所定時間ビデオ信号をバッファする遅延バッファ部を有するので、静止画モード前の動画の出力を少なくとも所定時間、待ち合わせることができる。したがって、静止画モード前後の動画をつなぎ合わせることができるので、動画が表示されない時間が生じないように動画を再生・出力することが可能となる。
【０１００】
<<実施形態４>>
以下に実施形態４について説明する。
【０１０１】
<実施形態４の概念>
【０１０２】
以下に、本実施形態の概念について説明する。本実施形態のビデオカメラは、所定時間分のビデオ信号をバッファするために、徐々にビデオ信号出力部からの出力を遅延させる徐々遅延部を有する実施形態３に記載のビデオカメラに関する。連続して静止画モードで撮影するときに有効である。
【０１０３】
<構成要件の明示>
【０１０４】
以下に本実施形態の構成要件を明示する。
【０１０５】
図１０は、本実施形態の機能ブロックの一例を示す図である。ビデオカメラ１０００は、ＣＣＤ１００１と、切換部１００２と、ビデオ信号取得部１００３と、静止画信号取得部１００４と、第一出力ビデオ信号生成部１００５と、ビデオ信号出力部１００６と、遅延バッファ部１００７と、徐々遅延部１００８と、からなる。なお、第一出力ビデオ信号生成部は、第二出力ビデオ信号生成部であってもよいが、以下の説明では、第一出力ビデオ信号生成部の場合について説明する。
【０１０６】
<構成要件の説明>
【０１０７】
以下に、本実施形態の構成要件について説明する。
【０１０８】
（ＣＣＤ）、（切換部）、（ビデオ信号取得部）、（静止画信号取得部）、（第一出力ビデオ信号生成部）、（ビデオ信号出力部）、（遅延バッファ部）
【０１０９】
「ＣＣＤ」、「切換部」、「ビデオ信号取得部」、「静止画信号取得部」、「第一出力ビデオ信号生成部」、「ビデオ信号出力部」、「遅延バッファ部」については、実施形態３と同様なので説明を省略する。
【０１１０】
（第一出力ビデオ信号生成部）
【０１１１】
「第一出力ビデオ信号生成部」は、中断前後のビデオ信号を遅延バッファ部から取得し、その中断の前後のビデオ信号をつないで出力すべきビデオ信号である第一出力ビデオ信号を生成するように構成されている。その他の点は、実施形態１の（第一出力ビデオ信号生成部）と同様なので説明を省略する。具体例については、実施例４で説明する。
【０１１２】
（徐々遅延部）
【０１１３】
「徐々遅延部」は、所定時間分のビデオ信号を遅延バッファ部にバッファするために、徐々にビデオ信号出力部からの出力を遅延させるように構成されている。ここで、遅延バッファ部のバッファがフルの間は、遅延バッファ部に入力されるビデオ信号の速度と徐々遅延部から出力されるビデオ信号の速度は同じとし、遅延バッファ部のバッファがフルでない間は、遅延バッファ部に入力されるビデオ信号の速度よりも徐々遅延部から出力されるビデオ信号の速度を遅くするように構成される。所定時間遅延されたビデオ信号は、ディスプレイに出力されるなどして利用される。具体例については、実施例４で述べる。
【０１１４】
<処理の流れ>
【０１１５】
以下に、本実施形態の処理の流れについて説明する。
【０１１６】
図１１、１２は、本実施形態の処理の流れの一例を示す図である。
【０１１７】
まず、ビデオ撮影を開始する（ステップＳ１１０１）。次に、ビデオカメラにおいて、ビデオ信号取得ステップは、ＣＣＤと接続してビデオ信号を取得する（ステップＳ１１０２）。次に、ビデオカメラにおいて、遅延バッファステップは、少なくとも所定時間ビデオ信号をバッファする（ステップＳ１１０３）。次に、静止画モードボタンが押下されたかどうか判断する。押下された場合にはステップＳ１１０５に進み、押下されていない場合にはステップＳ１１０９に進む（ステップＳ１１０４）。静止画モードボタンが押下された場合には、ビデオカメラにおいて、切換ステップは、静止画信号を取得するために、ＣＣＤから取得しているビデオ信号を静止画信号に切り換える（ステップＳ１１０５）。次に、ビデオカメラにおいて、静止画信号取得ステップは、ＣＣＤと接続して静止画信号を取得する（ステップＳ１１０６）。次に、ビデオカメラにおいて、切換ステップは、所定時間経過後、ＣＣＤから取得している静止画信号をビデオ信号に戻す（ステップＳ１１０７）。次に、ビデオカメラにおいて、第一出力ビデオ信号生成ステップは、中断前後のビデオ信号をつないで出力すべきビデオ信号である第一出力ビデオ信号を生成し、ステップＳ１１１０に進む（ステップＳ１１０８）。次に、ビデオカメラにおいて、遅延バッファステップからのビデオ信号を出力する（ステップＳ１１０９）。次に、ビデオカメラにおいて、ビデオ信号出力ステップは、ビデオ信号を出力する（ステップＳ１１１０）。次に、ビデオカメラにおいて、徐々遅延ステップは、遅延バッファがフルかどうか判断する。遅延バッファがフルであればステップＳ１２０３に進み、フルでなければステップＳ１２０２に進む（ステップＳ１２０１）。次に、ビデオカメラにおいて、徐々遅延ステップは、所定時間分のビデオ信号を遅延バッファにバッファするために、徐々にビデオ信号の出力を遅延させ、ステップＳ１２０４に進む（ステップＳ１２０２）。遅延バッファがフルの場合には、ビデオカメラにおいて、徐々遅延ステップは、ビデオ信号の出力の遅延を止める（ステップＳ１２０３）。次に、ビデオ撮影終了かどうか判断する。ビデオ撮影終了でなければ、ステップＳ１１０４に戻り、ビデオ撮影終了であれば処理を終了する（ステップＳ１２０４）。
【０１１８】
（実施例４）
【０１１９】
以下に、本実施形態の実施例４について説明する。
【０１２０】
図１３は、本実施例を説明するための図である。横軸を時間軸としている。また遅延バッファ部の容量は、所定時間分のビデオ信号を格納するだけの容量としている。
【０１２１】
まず、時刻Ｔ０において、ビデオカメラの電源をＯＮにすると、（１）動画モードになり、ビデオ信号取得部は、ＣＣＤと接続してビデオ信号（シーンＡ）を（３）動画用メモリに記録する。記録されたビデオ信号（シーンＡ）は、遅延バッファ部に出力する。遅延バッファ部は、所定時間（Ｔ２−Ｔ１）経過後にビデオ信号（シーンＡ）をビデオ信号出力部に（４）出力する。ビデオ信号出力部は、ビデオ信号（シーンＡ）を徐々遅延部に（５）出力する。徐々遅延部は、ビデオ信号（シーンＡ）をディスプレイに（６）出力する。
【０１２２】
次に、時刻Ｔ１において、静止画モードボタンが押下されると、切換部は、ビデオ信号取得部にてビデオ信号を取得している途中で、静止画信号を取得するために静止画信号取得部へ所定時間（Ｔ２−Ｔ１）切り換え、（２）静止画モードに移行する。静止画信号取得部は、ＣＣＤと接続して静止画信号（シーンＢ）を取得する。静止画信号（シーンＢ）を取得している間は、次のビデオ信号が、遅延バッファ部に入力されず、出力だけ行われる。したがって徐々遅延部は、遅延バッファ部の容量がフルでなくなるため、ビデオ信号出力部からのビデオ信号（シーンＡのフレームａ１）を引き伸ばしてビデオ信号（フレームａ１’）を生成し、ディスプレイに（６）出力する。徐々遅延部の出力の速度が下がるので、それに連動して、（５）ビデオ信号出力部の出力、（４）遅延バッファ部の出力の速度も下がる。
【０１２３】
次に、時刻Ｔ２において、（２）静止画モードから（１）動画モードに復帰する。ここで時刻Ｔ２において、ビデオ信号取得部は、ＣＣＤと接続してビデオ信号（シーンＣのフレームｃ）を（３）動画用メモリに記録する。次に、動画用メモリに記録されたビデオ信号（シーンＣのフレームｃ）は、遅延バッファ部に出力される。遅延バッファ部は、バッファ容量がフルになるまで引き続きビデオ信号（フレームａ１’）を、ビデオ信号出力部に（４）出力する。ビデオ信号出力部は、引き続きビデオ信号（フレームａ１’）を、徐々遅延部に（５）出力する。徐々遅延部は、引き続きビデオ信号（フレームａ１’）を、ディスプレイに（６）出力する。
【０１２４】
次に、時刻Ｔ３において、遅延バッファ部のバッファ容量がフルになるものとする。徐々遅延部は、遅延バッファ部のバッファ容量がフルであるのでビデオ信号の遅延を止める。遅延バッファ部は、バッファ容量がフルになったのでビデオ信号（シーンＡのフレームａ２＋シーンＣのフレームｃ）を、元の速度の戻して、第一出力ビデオ信号生成部に（４）出力する。第一出力ビデオ信号生成部は、ビデオ信号（フレームａ１’）につなぎ合わせてビデオ信号（シーンＡのフレームａ２＋シーンＣのフレームｃ）をビデオ信号出力部に出力する。ビデオ信号出力部は、ビデオ信号（シーンＡのフレームａ２＋シーンＣのフレームｃ）を、徐々遅延部に（５）出力する。徐々遅延部は、ビデオ信号（シーンＡのフレームａ２＋シーンＣのフレームｃ）を、ディスプレイに（６）出力する。ここで（シーンＡのフレームａ２＋シーンＣのフレームｃ）の時間は、所定時間（Ｔ２−Ｔ１）となっている。
【０１２５】
<実施形態４の効果の簡単な説明>
【０１２６】
本件発明によれば、所定時間分のビデオ信号をバッファするために、徐々にビデオ信号出力部からの出力を遅延させることができるので、遅延バッファ部のバッファ容量がゼロにならないようにできる。
【０１２７】
<<実施形態５>>
以下に実施形態５について説明する。
【０１２８】
<実施形態５の概念>
【０１２９】
以下に、本実施形態の概念について説明する。本実施形態のビデオカメラは、第二出力ビデオ信号生成部は、引伸ばしをするために、フレームレートを小さくするためのフレームレート減少手段を有し、フレームレート減少手段により通常のフレームレートよりも間隔が広くなったフレーム間に補間フレームを挿入する補間フレーム挿入部をさらに有する実施形態２に記載のビデオカメラに関する。
【０１３０】
<構成要件の明示>
【０１３１】
以下に本実施形態の構成要件を明示する。
【０１３２】
図１４は、本実施形態の機能ブロックの一例を示す図である。ビデオカメラ１４００は、ＣＣＤ１４０１と、切換部１４０２と、ビデオ信号取得部１４０３と、静止画信号取得部１４０４と、第二出力ビデオ信号生成部１４０５と、ビデオ信号出力部１４０６と、補間フレーム挿入部１４０８と、からなる。また第二出力ビデオ信号生成部は、フレームレート減少手段１４０７を有する。
【０１３３】
<構成要件の説明>
【０１３４】
以下に、本実施形態の構成要件について説明する。
【０１３５】
（ＣＣＤ）、（切換部）、（ビデオ信号取得部）、（静止画信号取得部）、（ビデオ信号出力部）
【０１３６】
「ＣＣＤ」、「切換部」、「ビデオ信号取得部」、「静止画信号取得部」、「ビデオ信号出力部」については、実施形態２と同様なので説明を省略する。
【０１３７】
（第二出力ビデオ信号生成部）
【０１３８】
（フレームレート減少手段）
【０１３９】
「フレームレート減少手段」は、引伸ばしをするために、フレームレートを小さくするように構成されている。フレームレートには、一例として、３０ｆｐｓ、２０ｆｐｓ、１０ｆｐｓなどが挙げられる。フレームレートが小さくなった第二出力ビデオ信号は、補間フレーム挿入部に出力される。その他の点は、実施形態２の（第二出力ビデオ信号生成部）と同様なので説明を省略する。
【０１４０】
（補間フレーム挿入部）
【０１４１】
「補間フレーム挿入部」は、フレームレート減少手段により通常のフレームレートよりも間隔が広くなったフレーム間に補間フレームを挿入するように構成されている。ここで「補間フレーム」には、一例として、前のフレームと同じフレーム、前後のフレームから演算を施したフレームなどが挙げられる。以下に、モーフィングによるフレーム補間について説明する。
【０１４２】
図１６（Ａ）、（Ｂ）、（Ｃ）、（Ｄ）、図１７〜図２０は、モーフィングによるフレーム補間の概要の一例を示す図である。ここで図１７は図１６（Ａ）を、図１８は図１６（Ｂ）を、図１９は図１６（Ｃ）を、図２０は、図１６（Ｄ）を、それぞれ拡大した図である。まず図１６（Ａ）を現在のフレーム画像とする。現在のフレーム画像を横ｕ画素、縦ｖ画素の矩形領域に分割し、そのセンターの位置ベクトルをＸｍ、ｎとする。１フレーム前の画像と図１６（Ａ）の画像間で動きベクトルを求め、その動きベクトルの１／２を、この２フレーム間の補間フレームにおける動きベクトルとする。その１／２の動きベクトルを考慮した補間フレーム画像を図１６（Ｂ）とする。Ｘ’ｍ，ｎは、図１６（Ａ）のＸｍ、ｎに対する補間フレーム画像の位置ベクトルを示している。
【０１４３】
図１６（Ｂ）の補間フレーム画像の画素データＱを算出する：
【０１４４】
まず、画素Ｑが位置ベクトルＸ’０，０、Ｘ’０，１、Ｘ’１，０、Ｘ’１，１の区画にあることを検出する。検出方法は、一例として、Ｘ’０，０、Ｘ’０，１、Ｘ’１，０、Ｘ’１，１の各ベクトルと画素Ｑのベクトルとの差分ベクトルの向きを判別して区画内にあるかを検出する方法が挙げられる。
【０１４５】
次に、現フレーム画像から補間フレーム画像の画素データを算出する：
【０１４６】
Ｑ点を含む補間フレーム画像の区画を図１６（Ｄ）に示す。また、この区画に対応する現フレーム画像の区画を図１６（Ｃ）に示す。図１６（Ｄ）において、Ｘ’０，０を基準に区画の各辺を１としてＱ点の位置をｈ、ｒ（１>ｈ>０、１>ｒ>０）で表すと、以下の式が成り立つ。
【０１４７】
ｒ・（（ｈ・（Ｘ’１，１−Ｘ’１，０）＋Ｘ’１，０）
−（ｈ・（Ｘ’０，１−Ｘ’０，０）＋Ｘ’０，０））＋（ｈ・（Ｘ’０，１−Ｘ’０，０）＋Ｘ’０，０）＝Ｑ
【０１４８】
ベクトルの各要素に分解する。
【０１４９】
ｒ・（（ｈ・（ｘ’１，１−ｘ’１，０）＋ｘ’１，０）
−（ｈ・（ｘ’０，１−ｘ’０，０）＋ｘ’０，０））＋（ｈ・（ｘ’０，１−ｘ’０，０）＋ｘ’０，０）＝ｘ’より、
【０１５０】
ｒ・ｈ・（ｘ’１，１−ｘ’１，０−ｘ’０，１＋ｘ’０，０）
＋ｒ・（ｘ’１，０−ｘ’０，０）＋ｈ・（ｘ’０，１−ｘ’０，０）＋ｘ’０，０−ｘ’＝０
【０１５１】
ここでＡ＝ｘ’１，１−ｘ’１，０−ｘ’０，１＋ｘ’０，０、Ｂ＝ｘ’１，０−ｘ’０，０、Ｃ＝ｘ’０，１−ｘ’０，０、Ｄ＝ｘ’０，０−ｘ’とおくと、上式は、
【０１５２】
ｒ・ｈ・Ａ＋ｒ・Ｂ＋ｈ・Ｃ＋Ｄ＝０  ・・・（式１）
となる。
【０１５３】
また
【０１５４】
ｒ・（（ｈ・（ｙ’１，１−ｙ’１，０）＋ｙ’１，０）
−（ｈ・（ｙ’０，１−ｙ’０，０）＋ｙ’０，０））＋（ｈ・（ｙ’０，１−ｙ’０，０）＋ｙ’０，０）＝ｙ’より、
【０１５５】
ｒ・ｈ・（ｙ’１，１−ｙ’１，０−ｙ’０，１＋ｙ’０，０）
＋ｒ・（ｙ’１，０−ｙ’０，０）＋ｈ・（ｙ’０，１−ｙ’０，０）＋ｙ’０，０−ｙ’＝０
【０１５６】
ここでＥ＝ｙ’１，１−ｙ’１，０−ｙ’０，１＋ｙ’０，０、Ｆ＝ｙ’１，０−ｙ’０，０、Ｇ＝ｙ’０，１−ｙ’０，０、Ｉ＝ｙ’０，０−ｙ’とおくと、上式は、
【０１５７】
ｒ・ｈ・Ｅ＋ｒ・Ｆ＋ｈ・Ｇ＋Ｉ＝０  ・・・（式２）
となる。
【０１５８】
（式１）、（式２）より
【０１５９】
【数１】
2006229552.tif 000003
【０１６０】
【数２】
2006229552.tif 000004
となる。
【０１６１】
Ｑ（ｘ’、ｙ’）を与えたときの現フレーム画像上に対応する点は、図１６（Ｃ）のＰ点となり、上式で求めたｈ、ｒを用いて図１６（Ｃ）の区画のＰ点をフレーム補間演算により求めることで、Ｑ点の画素データを求めることができる。
【０１６２】
生成されたビデオ信号は、ビデオ信号出力部に出力される。
【０１６３】
<処理の流れ>
【０１６４】
以下に、本実施形態の処理の流れについて説明する。
【０１６５】
図１５は、本実施形態の処理の流れの一例を示す図である。
【０１６６】
まず、ビデオカメラの電源をＯＮにする（ステップＳ１５０１）。次に、ビデオカメラにおいて、ビデオ信号取得ステップは、ＣＣＤと接続してビデオ信号を取得する（ステップＳ１５０２）。次に、静止画モードボタンが押下されたかどうか判断する（ステップＳ１５０３）。押下された場合にはステップＳ１５０４に進み、押下されていない場合にはステップＳ１５０９に進む。次に、ビデオカメラにおいて、切換ステップは、ビデオ信号取得ステップにてビデオ信号を取得している途中で、静止画信号を取得するために静止画信号取得ステップへ所定時間切り換える（ステップＳ１５０４）。次に、ビデオカメラにおいて、静止画信号取得ステップは、ＣＣＤと接続して静止画信号を取得する（ステップＳ１５０５）。次に、ビデオカメラにおいて、切換ステップは、所定時間経過後、ＣＣＤとの接続を静止画信号取得ステップからビデオ信号取得ステップに戻す（ステップＳ１５０６）。次に、ビデオカメラにおいて、フレームレート減少ステップは、引伸ばしをするために、フレームレートを小さくする（ステップＳ１５０７）。次に、ビデオカメラにおいて、補間フレーム挿入ステップは、フレームレート減少ステップにより通常のフレームレートよりも間隔が広くなったフレーム間に補間フレームを挿入する（ステップＳ１５０８）。次に、ビデオカメラにおいて、ビデオ信号出力ステップは、ビデオ信号を出力する（ステップＳ１５０９）。
【０１６７】
<実施形態５の効果の簡単な説明>
【０１６８】
本件発明によれば、引伸ばしをするために、フレームレートを小さくするためのフレームレート減少手段を有し、フレームレート減少手段により通常のフレームレートよりも間隔が広くなったフレーム間に補間フレームを挿入する補間フレーム挿入部をさらに有する。したがって、静止画記録中の動画が表示されない時間が生じないように滑らかに動画を再生・出力することが可能となる。
【０１６９】
<<実施形態６>>
以下に実施形態６について説明する。
【０１７０】
<実施形態６の概念>
【０１７１】
以下に、本実施形態の概念について説明する。本実施形態のビデオカメラは、遅延バッファ部は、ビデオ信号圧縮手段を有し、圧縮したビデオ信号をバッファする実施形態３又は４に記載のビデオカメラに関する。
【０１７２】
<構成要件の明示>
【０１７３】
以下に本実施形態の構成要件を明示する。
【０１７４】
図２１は、本実施形態の機能ブロックの一例を示す図である。ビデオカメラ２１００は、ＣＣＤ２１０１と、切換部２１０２と、ビデオ信号取得部２１０３と、静止画信号取得部２１０４と、第一出力ビデオ信号生成部２１０５と、ビデオ信号出力部２１０６と、遅延バッファ部２１０７と、徐々遅延部２１０８と、からなる。また、遅延バッファ部は、ビデオ信号圧縮手段２１０９を有する。なお、第一出力ビデオ信号生成部は、第二出力ビデオ信号生成部であってもよいが、以下の説明では、第一出力ビデオ信号生成部の場合について説明する。
【０１７５】
<構成要件の説明>
【０１７６】
以下に、本実施形態の構成要件について説明する。
【０１７７】
（ＣＣＤ）、（切換部）、（ビデオ信号取得部）、（静止画信号取得部）、（第一出力ビデオ信号生成部）、（ビデオ信号出力部）、（徐々遅延部）
【０１７８】
「ＣＣＤ」、「切換部」、「ビデオ信号取得部」、「静止画信号取得部」、「第一出力ビデオ信号生成部」、「ビデオ信号出力部」、「徐々遅延部」については、実施形態３又は４と同様なので説明を省略する。
【０１７９】
（遅延バッファ部）
【０１８０】
「遅延バッファ部」は、ビデオ信号圧縮手段を有し、圧縮したビデオ信号をバッファする。ここで「ビデオ信号圧縮手段」とは、ビデオ信号取得部から入力されたビデオ信号を圧縮する手段のことをいう。圧縮方法は、一例として、モーションＪＰＥＧ（Ｊｏｉｎｔ  Ｐｈｏｔｏｇｒａｐｈｉｃ  Ｅｘｐｅｒｔｓ  Ｇｒｏｕｐ）規格による圧縮、ＭＰＥＧ（Ｍｏｖｉｎｇ  Ｐｉｃｔｕｒｅ  Ｅｘｐｅｒｔｓ  Ｇｒｏｕｐ）規格による圧縮などが挙げられる。圧縮されてバッファされたビデオ信号は、復元されてビデオ信号出力部などに出力されるなどして利用される。なお、圧縮されたビデオ信号の復元は、ビデオ信号出力部にて行われてもよい。
【０１８１】
<処理の流れ>
【０１８２】
本実施形態の処理の流れは、遅延バッファステップが、ビデオ信号圧縮ステップを有し、圧縮したビデオ信号をバッファすること以外は実施形態３又は４に記載のビデオカメラと同様であるので、説明を省略する。
【０１８３】
<実施形態６の効果の簡単な説明>
【０１８４】
<<実施形態７>>
以下に実施形態７について説明する。
【０１８５】
<実施形態７の概念>
【０１８６】
以下に、本実施形態の概念について説明する。本実施形態のビデオカメラは、ビデオ信号出力部が出力するビデオ信号は、ファインダー用ビデオ信号である実施形態１から６のいずれか一に記載のビデオカメラに関する。それ以外の点は、実施形態１から６のいずれか一と同様なので説明を省略する。
【産業上の利用可能性】
【０１８７】
本件発明は、ＣＣＤを用いて動画及び静止画の撮影が可能なビデオカメラに利用可能である。
【図面の簡単な説明】
【０１８８】
【図１】実施形態１の機能ブロック図
【図２】実施形態１の処理の流れ図
【図３】実施例１を説明するための図
【図４】実施形態２の機能ブロック図
【図５】実施形態２の処理の流れ図
【図６】実施例２を説明するための図
【図７】実施形態３の機能ブロック図
【図８】実施形態３の処理の流れ図
【図９】実施例３を説明するための図
【図１０】実施形態４の機能ブロック図
【図１１】実施形態４の処理の流れ（その１）図
【図１２】実施形態４の処理の流れ（その２）図
【図１３】実施例４を説明するための図
【図１４】実施形態５の機能ブロック図
【図１５】実施形態５の処理の流れ図
【図１６】実施形態５のモーフィングの概念を説明するための図
【図１７】実施形態５のモーフィングの概念を説明するための図
【図１８】実施形態５のモーフィングの概念を説明するための図
【図１９】実施形態５のモーフィングの概念を説明するための図
【図２０】実施形態５のモーフィングの概念を説明するための図
【図２１】実施形態５の機能ブロック図
【符号の説明】
【０１８９】
０１００  ビデオカメラ
０１０１  ビデオ信号取得部
０１０２  静止画信号取得部
０１０３  切換部
０１０４  第一出力ビデオ信号生成部
０１０５  ビデオ信号出力部
【図１】
2006229552.tif 000005
【図２】
2006229552.tif 000006
【図３】
2006229552.tif 000007
【図４】
2006229552.tif 000008
【図５】
2006229552.tif 000009
【図６】
2006229552.tif 000010
【図７】
2006229552.tif 000011
【図８】
2006229552.tif 000012
【図９】
2006229552.tif 000013
【図１０】
2006229552.tif 000014
【図１１】
2006229552.tif 000015
【図１２】
2006229552.tif 000016
【図１３】
2006229552.tif 000017
【図１４】
2006229552.tif 000018
【図１５】
2006229552.tif 000019
【図１６】
2006229552.tif 000020
【図１７】
2006229552.tif 000021
【図１８】
2006229552.tif 000022
【図１９】
2006229552.tif 000023
【図２０】
2006229552.tif 000024
【図２１】
2006229552.tif 000025